(57)【要約】  トリム係合部およびトリム係合部から直角に延在した、または延在可能な取付部を含む、一体成形シートメタルに形成されたクリップ。トリム係合部は、クリップが垂直部から傾けられるときに、限定された高さを有し、直立状態のときにこの限定された高さより高い高さを有する。トリム係合部は、トリムストリップの後側の対向するチャネル間に挿入することができ、傾いた位置から直立位置に回転させられるときに、上縁部および下縁部が各チャネルに捕捉される。トリム係合部は、クリップが直立位置になったときにチャネル内で弾性的に偏向される一体化した要素を有する。この弾性要素は、移動が反転しないようにクリップを解除可能にロックし、それによってトリム係合部をチャネル内で捕捉状態に維持する。【選択図】図１および図４
2016511344.tif 000002
【特許請求の範囲】
【請求項１】
トリム係合部および前記トリム係合部から直角に延在した、または延在可能な取付部を含む、一体成形シートメタルに形成されたクリップであって、前記トリム係合部は、前記クリップが垂直部から傾けられるときに、限定された高さを有し、直立状態のときに前記限定された高さより高い高さを有し、前記トリム係合部は、前記クリップが傾いた位置のときに、トリムストリップの後側の一組の対向するチャネル間に挿入することができ、傾いた位置から直立位置に回転させられるときに、上縁部および下縁部は各チャネルに捕捉され、前記クリップが直立位置になったときに、前記トリム係合部はチャネル内で弾性的に偏向されるように構成される一体化した要素を有し、前記弾性要素は、前記直立位置への移動が反転しないように前記クリップを解除可能にロックするように構成され、それによって前記トリム係合部を前記チャネル内で捕捉状態に維持するクリップ。
【請求項２】
前記取付部が、前記クリップが前記取付部によって吊り天井グリッドランナーに取り付けられるようにするために締結具を受容する穴を有する、請求項１記載のクリップ。
【請求項３】
前記取付部が、グリッドランナー上での形成に備えて前記取付部に指標を付けるために前記取付部の一部を切除するためのガイドとして機能する、前記取付部の上に刻まれたしるしを有する、請求項１記載のクリップ。
【請求項４】
前記取付部が、前記トリム係合部に対して直角に延在した、または延在可能なセクションに対して垂直に延在した、または延在可能なセクションを有し、前記垂直に延在した、または延在可能なセクションが、前記クリップを壁などの硬質表面に固定するために締結具を受容する穴を有する、請求項１記載のクリップ。
【請求項５】
前記取付部が、中央ウェブを覆う中空補強バルブを含むグリッドランナーの一部に対して相補的なプロファイルを有し、前記プロファイルが、前記クリップが前記グリッドランナーに平行な前記トリムストリップを支持できるように構成される、請求項１記載のクリップ。
【請求項６】
前記取付部が、一体化した屈曲可能タブを有し、前記タブを前記取付部の平面から屈曲させると、前記グリッドランナーに前記プロファイルへの横方向のアクセスを与え、前記取付部の前記平面に曲げて戻すと、前記グリッドランナーの前記プロファイルからの横方向の移動をロックする、請求項５記載のクリップ。
【請求項７】
前記取付部が、突出物の断面と相補的なプロファイルを有し、それによって前記クリップは、同一のクリップと共に前記トリムストリップと平行関係の前記突出物を支持するように構成される、請求項１記載のクリップ。
【請求項８】
前記取付部が、屈曲可能なタブを有し、前記タブが、前記取付部の平面から屈曲させると、突出物がプロファイルに横方向に受容されるように構成され、可動部の平面に曲げて戻すと、前記突出物に対して平面の横方向の移動を妨げる、請求項１記載のクリップ。
【請求項９】
対向する受容チャネルを有する細長いトリムストリップを、別の物体に固定するためのシートメタルクリップであって、平面トリム係合部と前記トリム係合部から直角に延在したまたは延在可能な物体係合部とを有する一体成形シートメタル体を備え、前記トリム係合部が、長い寸法および前記長い寸法より短い対角線寸法を有する、長方形プロファイルを有し、前記対角線プロファイル寸法が、前記トリムストリップの長手方向と垂直であるときに、前記トリム係合部は、対向する受容チャネルの間を通ることができ、前記長い寸法が前記トリムストリップの前記長手方向と垂直であるときに、前記トリム係合部は前記チャネルに固定され、前記トリム係合部がその長い寸法が前記トリムストリップの長手方向に対して垂直に回転させられた状態で前記チャネルに受容されるときに、前記トリム係合部のスロットは、弾性的に偏向されるばねセクションを作るように構成され配置される、シートメタルクリップ。
【請求項１０】
前記トリム係合部が前記トリムストリップの長手方向に対して垂直であるとき、前記ばねセクションが、チャネルの壁を係合するように配置される鋭角の角部を有する、請求項９記載のクリップ。
【発明の詳細な説明】
【技術分野】
【０００１】
本発明は建築用天井トリムと他のさまざまな建物部材とを接続するための改良されたクリップに関する。
【背景技術】
【０００２】
吊り天井システムは、いわゆる島天井（ｉｓｌａｎｄ  ｃｅｉｌｉｎｇ）および鼻隠を含むことができ、天井の外周の全てまたは一部がどの壁からも間隔をおいて配置されている。さまざまなトリム製品および関連する付属品が、これらの天井の外周の洗練された外観を提供するために開発されてきた。トリムの１つの型は、互いに向かい合う取り付けチャネルが突出物の後面上に組み込まれて形成されたアルミニウム突出物である。
【０００３】
これらのトリム要素および専用の付属品を使用すると、壁処理などの他の用途にそれらの用途を広げるチャンスがある。
【０００４】
クリップは、外周トリムを吊り天井グリッドランナーに取り付けるために考案された。特許文献１は、先行技術の一例を開示している。先行技術のクリップ、特に複数のパーツを含む場合、組み立てられるときに砕けたり、過度に締めるとトリムのゆがみを引き起こしたりして、製造コストが高くなる可能性がある。それゆえに、確実にトリム要素を吊り天井グリッドに取り付けるために、一体型の安価な使いやすいクリップのニーズがあった。さらに、ライティングストリップなどの付属品を外周トリムに取り付けるために使用でき、装飾機能を提供するために外周トリムを壁などの垂直面に取り付けるために使用できるクリップのニーズもあった。
【先行技術文献】
【特許文献】
【０００５】
【特許文献１】米国特許第７，９３０，８６４号
【発明の概要】
【課題を解決するための手段】
【０００６】
本発明は、トリムストリップをグリッドランナーに、または他の物体に、またはトリムストリップの付属物に接続するための一体成形クリップ機構を提供する。このクリップ機構は、特有のばねロック機能を有するトリム係合部を有する。このばねロック機能は、クリップが傾けられ、その後直立状態にされる間、トリムストリップの対向する取付チャネル間にクリップ部分を配置することによって、展開される。ばねロックは、マイナスドライバーなどのツールによって加えられるシンプルな逆のねじり力によって解除することができる。理想的には、クリップは一体成形シートメタルスタンピングである。ばねロックは、トリム係合部の一部が片持ちばねとして機能できるようにするシートメタル内のスロット形成から生じる。この一体化したばねは、クリップが直立状態のときに、トリムストリップの取付チャネル間で圧縮されるように構成される。
【０００７】
好ましくは、ばねは、一方向のロック作用を示すように、比較的鋭角な後縁のプロファイルで終端する。このばねの形状は、クリップが直立の設置位置に容易に変われ、通常使用において、このねじれロック動作の反転を妨げる。
【０００８】
このクリップのトリムストリップ係合部は、さまざまなグリッドランナーの断面や平面に取り付けるために、およびライトバーなどの付属品を取り付けるために、さまざまな他のパーツと一体化させられ得る。
【図面の簡単な説明】
【０００９】
【図１】本発明の第１の実施形態による自在トリムストリップ取付クリップの斜視図である。
【図２】図１のクリップの背面立面図である。
【図３】トリムストリップ上に取り付けられた図１のクリップの側面図である。
【図４】トリムストリップの一部、ならびに左にはトリムストリップのチャネルに組み付けるために傾いた図１のクリップ、および右には設置された直立状態の図１のクリップの背面図である。
【図５】トリムストリップをグリッドランナーまたはティーに接続する、本発明の第２の実施形態の側面立面図である。
【図６】３次元フランジを有するグリッドランナーとの使用のために改変された図５のクリップの側面立面図である。
【図７】トリムストリップを別の型の３次元フランジを有するグリッドランナーに接続する、本発明の第３の実施形態の側面立面図である。
【図８】乾式壁グリッドティーおよび１/２インチ乾式壁との使用のために改変された図７のクリップの側面立面図である。
【図９】乾式壁グリッドティーおよび５/８インチ乾式壁との使用のために改変された図７のクリップの側面立面図である。
【図１０】トリムストリップと平行なグリッドランナーとを接続する、本発明の第４の実施形態の側面立面図である。
【図１１】トリムストリップを壁などの平面に取り付けるための本発明の第５の実施形態の斜視図である。
【図１２】本発明の第６の実施形態の斜視図である。
【図１３】トリムストリップ上でライトストリップを支持する図１２のクリップの側面立面図である。
【発明を実施するための形態】
【００１０】
図１〜４は、本発明を具体化する自在取付クリップ１０を示している。クリップ１０は、好ましくは、一体成形シートメタルスタンピングに形成され、例えば、名目上０．０４６インチの尺度の溶融亜鉛めっき鋼などから作製される。クリップ１０および以下で開示されるクリップの大部分は、さまざまな特徴がシートメタル素材から打ち抜かれた後、直角状に曲げられる。クリップ１０は、平面トリム係合部１１および平面トリム係合部１１に対して直角に延びる平面脚部１２を有する。
【００１１】
以下で開示されるクリップ１０および他のクリップは、突出したアルミニウムのトリムストリップ１４との使用のためのものである。トリムストリップ１４は、その後側１６に、一組の対向する浅いチャネル１７を含み、各チャネルの開放側は、対側のチャネルと向かい合っている。チャネル１７の幅は、クリップ１０を形成する薄板材の厚さよりわずかに大きくすることができる。チャネル１７はトリムストリップ１４の全長に延びることと理解される。図示されたトリムストリップ１４は、島天井および鼻隠の洗練された縁部を提供するために用いられる市販のトリムストリップの例であり、例えば、ＵＳＧ  Ｉｎｔｅｒｉｏｒｓ，ＬＬＣの登録商標の、ＣＯＭＰＡＳＳＯ（登録商標）ＥＬＩＴＥの商標で市販されている。
【００１２】
平面トリム係合部１１のプロファイルは、好ましくは、後述の他のさまざまなクリップで採用されたものと同じである。このプロファイルは、改変された２つの対角部を有する略矩形に表され、クリップが垂直方向から傾けられるとき、平面脚部１２はチャネル１７間の最小空間の間を通る。図４は、この状況を、１８および１９の符号がつけられた改変された対角部とともに左側に示している。クリップされた対角部１９の低い方のものは、好ましくは、以下で記載されるように、カム表面として働く縁部２１を提供するために丸みを帯びている。
【００１３】
スロット２６は、下縁部２７の中央領域から上方および横方向に延び、それによってカム表面２１の一部の上に重なる。図示された構造において、スロット２６はＳ字形であり、２８で垂直であり、２９で水平であり、３０で垂直である。スロット２６の水平部の下側のノッチ３１は垂直部３０と整列する。ロック角部または点３２は、スロット２６とカム表面形成縁部２１の交わるところに形成される。ロック点３２は比較的鋭角なため、トリムストリップ１４の材料の中に食い込むことができる。カム縁部２１およびロック点３２から離れたスロット２６の一辺の下縁部２７は、クリップ１０が垂直方向にあるとき、ロック縁部よりわずかに高い。
【００１４】
図４に示すように、留められる角部１８、１９にわたる平面トリム係合部１１の対角線長さは、トリムチャネル１７の符号３６の自由縁間の間隔より短い。クリップは、図４の左側に示された方向にクリップを傾け、チャネル１７間に配置することによって、トリムストリップ１４に設置される。その後、クリップは直立状態に回転させられ、上縁が上側チャネル１７に捕捉され、同様に下縁部２７が下側チャネル１７に捕捉される。平面トリム係合部１１は、上縁部３７とロック点３２との間の垂直距離が、自由状態で、対向するチャネル１７間の内寸よりわずかに大きくなるように寸法決めされる。脚部１２を把持し、および／または、スロット２６の上部セクション３０にマイナスドライバーなどのツールを挿入し、クリップを直立状態に力強く回転させることによって、クリップ１０は回転させることができる。平面トリム係合部１１の対角部３８、３９が各チャネルの基部に接触するとき、さらなる回転が止められる。平面トリム係合部は、ロック点３２が、チャネル基部間の空間より上縁部３７からわずかに長いように寸法決めされるので、ロック縁部はトリムストリップ１４の比較的やわらかいアルミニウム材料に食い込む傾向があり、それによってクリップ１０を直立位置にロックする。ロック点３２は、チャネル１７の間隔に対して脚部１２の干渉寸法設計によって、各チャネル１７の基部に対してばねで留められる。このロック点のばね作用は、スロット２６によって作られる符号４１の脚部または半島状突出物における弾性的変形の結果である。この弾性的変形は、片持ちばねに類似し、スロット２６の幅によって可能になる。脚部４１の直角またはフック形状は、平面トリム係合部１１の残部に対してロック点３２の垂直変位を増やす。ひとたび直立状態に設置されると、クリップ１０は、自由な遊びなく、そしてトリムストリップに沿った長手方向の移動をすることなく、ロック点３２によって決まった位置に保持される。さらに、チャネル１７に捕捉された平面トリム係合部１１の上部および下部は、トリムストリップ１４の平面に対して垂直にチャネルから出ることに対して高い抵抗力が得られる。
【００１５】
ロック点３２のロックまたは食い込みは、調整のために、またはクリップの完全な取り外しのために、クリップをチャネル１７内で横方向に移動させるために解除することができる。クリップ１０の取り外しは、ノッチ３１内にブレードの一部が入った状態で、ドライバーのフラットブレードをスロット２６の垂直セクション３０に挿入することによって容易に達成することができる。反時計方向の回転は、ロック点３２が各チャネル１７上の把持部から上がるのに十分、脚部４１を曲げ、ドライバーの持続的な回転が、クリップ１０をチャネル１７間から取り外すことができる図４の位置に回す。
【００１６】
垂直スロット部３０内にブレードが入った状態でドライバーを時計方向に回すことによって、チャネル１７におけるクリップ１０の締め付けを増すことができ、それによって脚部４１を平面トリム係合部１１の残部から最初の間隔以上に広げることができ、それによってロック点３２と対向する上縁部３７との間の距離を増すことができる。
【００１７】
クリップ１０は、脚部または平面脚部１２の非特異的機能を有する自在クリップを開示する目的で図示して説明する。以下で開示の実施形態において、クリップ１０と同じトリム係合部１１を有するいくつかのクリップを記載している。以下で開示するさまざまなクリップの実施形態もまた一体構造であり、特定の要素または本体と接続する異なる脚部またはパーツを有する。下記の実施形態におけるトリム係合部１１の機能は、設置と取り外しを含めて上述のものと同じである。
【００１８】
図５および６は、トリムストリップ１４をさまざまな断面またはプロファイルの吊り天井グリッドランナーに連結するために用いられる第２の実施形態のクリップ５０を示している。クリップ５０は、上述のトリム係合部１１およびグリッド部材係合部または脚部５１を含む。脚部５１の横方向の長さは、トリム係合部１１の横方向の長さより少し長く、グリッドランナーの端部がトリム１４の垂直部から間隔をあけて位置した状態で、脚部がグリッドランナー５２に並ぶことを可能にする。より具体的には、標準の端部クリップ５３を有する標準の長さのグリッドランナー５２は、クリップ５０によって適合され、同時に下部フランジ５６の上向きの端部５４は、トリム１４の下部ランナーフランジ５７上で受けられる。クリップ脚部５１の遠位端の垂直高さは、下部ランナーフランジ５６と、ＵＳＧ  Ｉｎｔｅｒｉｏｒｓ，ＬＬＣから発売されたＤＸ（登録商標）またはＤＸＴ型のような従来のグリッドティーのランナー補強バルブ５８との間で適合するように寸法決めされ得ることが図５からわかる。脚部５１は、クリップ５０をグリッドランナー５２に取り付けるために穴５９、６０、および６１のセットを備える。例えば、穴５９は、グリッドランナーおよびクリップの組み立てとともに存在する、グリッドランナー５２および端部クリップ５３の穴（図示せず）に組み付けられるポップリベットまたはねじなどの締結具とともに用いることができる。トリムストリップ１４が「モジュール外（ｏｆｆ−ｍｏｄｕｌｅ）」で配置される場合、グリッドランナー５２は適切な長さに切断され、穴６０および６１は、グリッドランナーウェブ６２に組み付けられるねじまたはリベットとともに用いることができる。
【００１９】
図６を参照すると、バルブ式下部フランジ６３を有するグリッドランナー６５に適合するために、クリップ５０が、現場で技術者によって改変された。この型のグリッドランナーの一例は、ＵＳＧ  Ｉｎｔｅｒｉｏｒｓ，ＬＬＣによって発売されたＤＸＩ製品である。図６と５の比較は、クリップ脚部５１の下部が、細長いスロット６４（図５）の上縁部の下のクリップ材料を除去するために金切りばさみなどのツールによって切除され、垂直に延びるバルブ式フランジ６３用の空隙を与えていることを示している。穴６０は、クリップ５０をグリッドランナー６２に固定するために、エンドコネクタ５３に関連した製造穴のポップリベットとともに使用することができる。
【００２０】
図７〜９は、さまざまなグリッドランナー７３に有用な別のクリップ７０を示している。図７において、ねじスロット式のグリッドランナー７３が示され、下部フランジ７１は、グリッドランナーのウェブ７２の下に開放スロットが中心に配置された状態の中空箱型構造を形成する。例として、グリッドランナー７３は、ＵＳＧ  Ｉｎｔｅｒｉｏｒｓ，ＬＬＣによるＤＸＦ／ＤＸＬＦの商標で販売されている種類のものであってもよく、図１０に横から示している。
【００２１】
製造時に、クリップ７０は、スロット形成フランジ７１と補強バルブ７６との間のウェブ７２上で適合するようにサイズが調整されたパーツまたは脚部７４を有する。一組の穴７７が、グリッドランナー７３の端部上のコネクタが取り付けられるリベット穴に位置合わせするように設けられる。リベットまたはねじは、脚部７４をグリッドランナー７３に取り付けるために、穴７７に組み付けることができる。補助穴が、クリップ７０をグリッドランナーに留めるために適宜使用され得る。図７は、脚部７４と、フランジ７１の下面とトリムフランジ５７の上側を位置合わせするトリム係合部１１との関係を示している。
【００２２】
図８は、乾式壁グリッドティー８１と接続されたスクリムクリップ（ｓｃｒｉｍ  ｃｌｉｐ）７０を示している。図８におけるこのクリップ７０は、乾式壁の吊り天井を設置する技術者によって現場で改変された。図８において、製造時の最初にクリップ７０に形成された脚部７４の下部の一部が、一連の水平スロット８２の下側で、金切りばさみなどのツールで切り取られていることがわかる。脚部７４は、図８に示すように切り取られたときに、スロット８２の端部でランドエリア８３がグリッドティー８１のフランジ８４の上にくるようにサイズが調整されている。グリッドティー８１に対するこの位置において、改変されたクリップはトリムストリップ１４を支持し、それによって１/２インチ乾式壁８６は、トリムフランジ５７の上面にぴったり合った状態に適合される。ねじまたは他の締結具は、クリップ７０をグリッドティー８１のウェブに固定するために、脚部７４内の穴に組み付けられる。
【００２３】
図９を参照すると、クリップ７０は、トリムストリップ１４と、５/８インチ乾式壁９１と用いられている吊り天井乾式壁グリッドティー８１とを接続するために改変され得る。クリップ７０は、水平スロット８２の上縁部９２の高さで、脚部７４の下側を切除することによって改変されている。水平スロットの上縁部９２が、グリッドティーフランジ８４の上面に支えられているとき、５/８インチ乾式壁９１はトリムフランジ５７の上面とぴったりと合う。いくつかの穴がクリップ部７４に残り、ねじまたはポップリベットなどの締結具を受け、クリップ部をグリッドティー８１のウェブに取り付けることが見られる。
【００２４】
図１０は、別の実施形態のクリップ１００を示している。クリップ１００は、スロット付きフランジ式グリッドランナー７３のプロファイルに係合するように構成された縁構造１０２を有するパーツまたは脚部１０１を含む。図１０に示すように、クリップ脚部のプロファイルまたは縁部１０２は、フランジ７１と補強バルブ７６との間にぴったり適合する部分１０４を含むグリッドランナー７３の一辺にほぼ適合する。
【００２５】
脚部１０１は、トリム係合部１１と同じ方向に直角に曲げられるフランジ１０８を除いて、略平面である。タブ１０９は、脚部１０１の本体に打ち込まれたスロット１１１の両側でウェブ１１０によって、脚部１０１の本体に接続される。スロット１１１があるために、タブ１０９は上方に、すなわちペンチを用いて手によって補剛フランジ１０８の方向に曲げることができる。タブ１０９は、脚部１０１の平面から一時的に曲げられ、補強バルブ７６を受容領域１１２に配置できるようにする。受容領域１１２は、タブ１０９が脚部１０１の残部と同一平面上の元の方向に曲げて戻されるときに、バルブ７６をしっかりと閉じ込めるような形にされる。グリッドランナー７３は、トリムストリップの長さに沿って間隔をおいて配置された複数の同一のクリップ１００によって、トリムストリップ１４と平行に支持される。プロファイル１０２によってクリップ１００は、グリッドランナーフランジ７３のスロットに留められたパン状パネル１１３が、トリムストリップ１４のフランジ５７とぴったり重なるような高さにグリッドランナー１０３を保持する。図１０は、トリムストリップ１４と平行に延びる、グリッドランナー７３のウェブ内のスロットに挿入されたエンドコネクタを有するクロスランナー７３を示している。
【００２６】
図１１は、トリムストリップ１４を垂直壁などの構造物の表面に取り付けるために用いることができるさらに別の実施形態のクリップ１２０を示している。トリム係合部１１に接合されたクリップ１２０のパーツ１２１は、遠位セクション１２２が、トリム係合部１１の近位にあるセクション１２３の平面に対して直角であるという意味で３次元である。遠位セクション１２２は、ねじなどの締結具を受容して垂直壁が与えるような取付面にクリップ１２０を固定するように構成された一組の穴１２４を含む。
【００２７】
遠位セクション１２２および近位セクション１２３は、細長いスロット１２６によって分離され、同様に近位セクションおよびトリム係合部１１は、一組の整列した細長いスロット１２７によって分離されている。クリップ１２０は、平坦状に製造および供給され、トリムストリップ１４を設置する技術者によって、図１１が示す、スロット１２６、１２７の線に沿って直交状または左右対称状に曲げることができる。クリップ１２０は、例えば３次元壁取り付けまたはライトボックスを設置するために、トリムストリップ１４を壁に取り付けることができる。
【００２８】
図１２および１３は、トリムストリップをハードウェアに取り付けるのに役立つ上述のクリップとは対照的に、ハードウェアをトリムストリップ１４に取り付けるためのクリップ１３０を示している。クリップ１３０は、一組の細長い整列したスロット１３３によって形成されるランドエリア１３２を用いてトリム係合部１１に接続されたパーツ１３１を含む。ランドエリア１３２の限定された長さによって、クリップ１３０が技術者の手によって現場で曲げられることが可能になる。なお、クリップは平坦状態で製造および供給され、トリム係合部１１はハードウェア取付部１３１の左または右に曲げることができる。ハードウェア取付部１３１は、図１３が示すように、ＬＥＤランプを担持する市販のライトバー１３６の一部であり得る突出部１３４を受容するように構成される。クリップ部１３１は、突出部１３４を受容するように構成された切り欠き１３７を含む。タブ１３８は、突出部１３４の脚部１４１を受容するために穴１３９によって脆弱されたラインまたはゾーンでクリップ部１３１の平面から曲げることができる。突出部１３４が切り欠き１３７内で完全に受容されるとき、突出部１３４を切り欠き１３７内で捕捉するためにタブ１３８はクリップ部１３１の平面に曲げて戻すことができる。クリップ部１３１は、ライトバー１３６に関連する電源１４４の取付タブ１４３を受容するために、細いスロット１４２を有して製造される。トリムストリップ１４に沿って間隔をおいて配置される２つまたは３つ以上のクリップ１３０は、突出部１３４および電源１４４を支持するために用いられる。
【００２９】
本発明を、その特定の実施形態に関して図示して説明してきたが、これは限定するものではなく例示を目的としており、本明細書に図示して説明した特定の実施形態の他の変形および改良は、本発明の意図される精神および範囲内で当業者に明らかである。したがって、本特許は、範囲および効果において、本明細書で図示して説明した特定の実施形態に限定されるべきではなく、技術の進歩が発明によって促進されてきた程度と矛盾する任意の他の方法に限定されるべきでもない。
【図１】
2016511344.tif 000003
【図２】
2016511344.tif 000004
【図３】
2016511344.tif 000005
【図４】
2016511344.tif 000006
【図５】
2016511344.tif 000007
【図６】
2016511344.tif 000008
【図７】
2016511344.tif 000009
【図８】
2016511344.tif 000010
【図９】
2016511344.tif 000011
【図１０】
2016511344.tif 000012
【図１１】
2016511344.tif 000013
【図１２】
2016511344.tif 000014
【図１３】
2016511344.tif 000015
【国際調査報告】
2016511344.tif 000016
2016511344.tif 000017
2016511344.tif 000018